【事件の表示】
　特許第２９８６６０６号「生理用ナプキン」の請求項１に係る特許に対する特許異議の申立てについて、次のとおり決定する。
【結　論】
　訂正を認める。
　特許第２９８６６０６号の請求項１に係る特許を維持する。
【理　由】
 I．手続の経緯
　特許第２９８６６０６号の請求項１〜７に係る発明は、平成４年２月１８日に特許出願され、平成１１年１０月１日にその発明について特許権の設定登録がなされ、その後、花王株式会社より、請求項１に係る発明の特許に対し特許異議の申立がなされ、取消の理由が通知され、その指定期間内である平成１３年９月１１日に訂正請求がなされたものである。
II．訂正請求について
１．訂正の内容
　訂正事項ａ．
　明細書の特許請求の範囲の請求項１中の「液バリヤー側部を設け、」を「液バリヤー側部を、前記表面シートを折り曲げて設け、」と訂正する。
　訂正事項ｂ．
　明細書段落【０００９】中の「液バリヤー側部を設け、」を「液バリヤー側部を、前記表面シートを折り曲げて設け、」と訂正する。
２．訂正の目的の適否、新規事項の有無及び拡張・変更の存否
　上記訂正事項ａは、請求項１に記載の液バリヤー側部を設ける点を減縮するものであるから、特許請求の範囲の減縮を目的とする訂正に該当する。
　上記訂正事項ｂは、特許請求の範囲の記載の訂正により生じた発明の詳細な説明との整合を図るものであり、明りょうでない記載の釈明を目的とする訂正に該当する。
　そして、上記各訂正事項は、明細書段落【００１７】、【００２１】の記載からみて、明細書に記載された事項の範囲内の訂正であり、新規事項の追加に該当せず、実質的に特許請求の範囲を拡張又は変更するものではない。
３．独立特許要件について
（１）上記請求項２〜３に係る訂正は、特許異議の申立がされていない請求項についての訂正（請求項２〜３については、訂正がされているものではないが、訂正前の請求項１を引用して記載されており、訂正前の請求項１が訂正されている以上、それを引用して記載した請求項２〜３についても実質的に訂正されたものである。）であって、特許請求の範囲の減縮を目的としたものに該当するから、訂正後の請求項２〜３に係る各発明の独立特許要件について検討する。
（２）後記特許異議の申立についての判断で示した理由により、請求項１に係る発明が、甲第１〜３号証に記載された発明と同一ではない以上、訂正後の請求項１に係る発明を引用する請求項２〜３に係る発明は、特許出願の際独立して特許を受けることができるものである。
４．むすび
　したがって、上記訂正は、特許法等の一部を改正する法律（平成六年法律第百十六号）附則第六条第一項の規定によりなお従前の例によるとされる、特許法第１２０条の４第３項において準用する同第１２６条第１項ただし書き、第２項及び第３項の規定に適合するので、当該訂正を認める。
III．訂正後の請求項１〜３に係る発明
　訂正明細書の請求項１〜３に係る発明は、訂正明細書の特許請求の範囲の請求項１〜３に記載された、次のとおりのものである。
「【請求項１】透液性表面シートと不透液性裏面シートとの間に吸液性コアを介在させ、前記コアの長さ方向のほぼ中央部の両側縁から外方向へ延出させたウイング部を設け、少なくとも該ウイング部の裏面に粘着剤を塗布した生理用ナプキンにおいて、
　前記ウイング部の付け根近傍における長さ方向に沿って上方向へ起き上がるように伸縮部材を取り付けた液バリヤー側部を、前記表面シートを折り曲げて設け、この液バリヤー側部の少なくとも自由上端部と前記ウイング部の付け根近傍とは相対的に離れるように配置し、該ウイング部をその裏面側へ折り返すとき、該ウイング部により該自由上端部が外側への引っ張り作用を直接受けないように構成してあることを特徴とする前記ナプキン。
【請求項２】前記ウイング部を互いに接合した少なくとも上下面シートから形成し該上面シートの内側縁を該下面シートから浮き上がらせてある請求項１に記載のナプキン。
【請求項３】前記内側縁の上方向への起き上がりを補助する伸縮部材を該内側縁に取り付けてある請求項２に記載のナプキン。」
IV．特許異議申立について
１．特許異議申立の概要
  特許異議申立人　花王株式会社は、甲第１号証（特願平３−３３２４１５号（特開平５−１３７７５０号公報））、甲第２号証（実願平３−８００６１号（実開平５−２１９３６号公報））、甲第３号証（特願平４−５９０３６号（特開平５−２２０１９１号公報））を提出して、訂正前の請求項１に係る発明は、前記甲第１〜３号証の願書に最初に添付された明細書及び図面に記載された発明と同一であるから、請求項１に係る発明の特許は、特許法第２９条の２第１項の規定に違反してされたものであるから、取り消されるべきものである旨主張する
２．先願明細書及び図面に記載の事項
　特願平３−３３２４１５号の願書に最初に添付された明細書及び図面（特開平５−１３７７５０号公報参照）には、以下の記載がされている。
「【請求項１】透水性の表面シートと非透水性の防漏シートとの間に、表面シートおよび防漏シートよりも幅狭な体液吸収性の吸収層を介装して、吸収層の外周にフラップを突出し、この吸収層の長さ方向の両側部の一部に幅狭なクビレ部を設け、このクビレ部の両側に、防漏シートを両側部の外方に延長突出して、ショーツ外面に折返し止着可能なウイングを突設し、このウイングの吸収層の両側を吸収層方向に切り欠いて切欠部とするとともに吸収層の両側位置に、熱可塑性不織布間に弾性体を挿入した横漏れ防止片を固定し、この横漏れ防止片の外縁部をウイングの切欠部よりも外方に突出するとともに横漏れ防止片を弾性体により収縮方向に付勢して吸収層の両側で立ち上げた事を特徴とする生理用ナプキン。
【請求項４】横漏れ防止片は、不織布シートの吸収層側を折り返して形成したことを特徴とする請求項１，２記載の生理ナプキン。」（特許請求の範囲の請求項１、４）
「また、横漏れ防止片は、不織布シートの吸収層側を折り返して形成しても良い。」（段落【００１３】）
「つぎに、吸収層（１０）の表面に、図２に示す如く、吸収層（１０）よりも幅広なメッシュシート等の透水性の表面シート（１３）を位置する。そして、この表面シート（１３）の両側およびこの表面シート（１３）で被覆していない防漏シート（１２）の両側表面を、ポリエチレン、ポリプロピレン等の繊維から成る熱可塑性の不織布シート（１４）で被覆する。このように形成すると、防漏シート（１２）だけを露出する場合に比し、手触りが良く、肌への接触も柔軟となり、快適な装着感を得る事が可能となる。」（段落【００２３】）
「また、これまでの生理用ナプキン本体（２０）の形成過程とは別個に横漏れ防止片（２３）を形成する。この形成方法は、ポリエチレン、ポリプロピレン等の繊維から成る帯状の熱可塑性不織布を二つに折って、この屈曲部（２１）にゴム等の弾性体（２２）を伸長状態で挟み込み、この弾性体（２２）を、ホットメルト等で適宜間隔で固定したり、また両端を除く中央部を一体的に固定する。」（段落【００２６】）
「また、防漏シート（１２）の裏面には、図６に示す如くホットメルト等の塗布によりショーツ（２５）内面への内面止着部（２６）を形成する。またウイング（１８）の裏面には、ショーツ（２５）外面への外面止着部を形成する。」（段落【００２９】）
「横漏れ防止片（２３）は、図５、図６に示す如く外側緑をウイング（１８）の切欠部（１９）よりも外方に突出するとともに弾性体（２２）の復元収縮力によって収方向に付勢し、図９に示す如く吸収層（１０）の外側で立ち上がる。」（段落【００３４】）
「このように、横漏れ防止片（２３）を、不織布シート（１４）の吸収層（１０）側を折り返して形成することにより、横漏れ防止片（２３）の形成位置がズレる虞れがなく、簡便な製造が可能となる。」（段落【００４３】）
「ナプキンを装着した場合、間隔が狭いショーツの股部分の幅に対応してウイングを折返し止着可能できるため、シヨーツの股部に一体的にフィットして固定し、激しい運動等によってもズレるような事がなく、ネジレ、ヨレ等を防止して、安定した装着が可能となる。
　また、使用者の局部の両側で、ウイングの切欠部よりも幅広い間隔で立ち上がった横漏れ防止片によって、幅狭なクビレ部から体液の拡散が生じても、体液の横漏れを阻止し、ショーツ等のへの汚染防止を行って、衛生的な装着が可能となるものである。」（段落【００４４】及び【００４５】）
　そして、図５及び図６には、第１実施例の完成品の表面側及び裏面側の平面図がそれぞれ示されている。また、図８には、図５のＢ−Ｂ線拡大端面図が示されており、横漏れ防止片（２３）の少なくとも自由上端部と前記ウイング（１８）の付け根近傍とは相対的に離れるように配置されている。さらに、図９には、第１実施例のショーツへの装着状態におけるウイングの端面図が示されており、ウイング（１８）と横漏れ防止片（２３）は、ウイング（１８）をその裏面側に折り返すとき、各々別個に形成されている。
　実願平３−８００６１号の願書に最初に添付された明細書及び図面（実開平５−２１９３６号公報参照）には、
「ショーツ内面への内面止着部を外面側に形成した防漏シートと、透水性の表面シートとの間に、表面シートおよび防漏シートよりも幅狭で体液吸収性のポリマーシートを介装し、このポリマーシートの両側に、表面シートと防漏シートとから成るサイドフラップを突出するとともにポリマーシートの長さ方向の中央部の両側に、防漏シートを延長突出して幅広部を設け、
　この幅広部の外面側にショーツ外面への外面止着部を形成するとともにこの幅広部及びサイドフラップの表面を、撥水性の被覆シートで被覆し、この被覆シートのポリマーシート側を外側へ折返し、ポリマーシートの両側に横漏れ防止片を形成するとともにこの横漏れ防止片に弾性糸を接続し、横漏れ防止片を収縮方向に付勢したことを特徴とする生理ナプキン。」（実用新案登録請求の範囲１）が記載されている。
　特願平４−５９０３６号の願書に最初に添付された明細書及び図面（特開平５−２２０１９１号公報参照）には、「透水性の表面シートと非透水性の防漏シートとの間に、表面シートおよび防漏シートよりも幅狭な体液吸収性の吸収層を介装してナプキン本体を形成し、このナプキン本体の長さ方向の両側に、立ち上げ幅を５ｍｍ〜２０ｍｍとした熱可塑性不織布製の両側片を二つ折りにして止着し、この両側片の内部に、１〜１０本・・・形成し、両側片を弾性体によって収縮方向に付勢して吸収層の両側に立ち上げた事を特徴とする生理用ナプキン。
」（特許請求の範囲１）が記載されている。
３．判断
　特願平３−３３２４１５号の願書に最初に添付された明細書及び図面には、透水性の表面シートと非透水性の防漏シートとの間に、表面シートおよび防漏シートよりも幅狭な体液吸収性の吸収層を介装して、吸収層の外周にフラップを突出し、この吸収層の長さ方向の両側部の一部に幅狭なクビレ部を設け、このクビレ部の両側に、防漏シートを両側部の外方に延長突出して、ショーツ外面に折返し止着可能なウイングを突設し、このウイングの吸収層の両側を吸収層方向に切り欠いて切欠部とするとともに吸収層の両側位置に、熱可塑性不織布間に弾性体を挿入した横漏れ防止片を固定し、この横漏れ防止片の外縁部をウイングの切欠部よりも外方に突出するとともに横漏れ防止片を弾性体により収縮方向に付勢して吸収層の両側で立ち上げた事を特徴とする生理用ナプキンが記載されているが、該生理ナプキンの横漏れ防止片は、不織布シートの吸収層側を折り返して形成しても良い、と記載され、これは、表面シート（１３）の両側およびこの表面シート（１３）で被覆していない防漏シート（１２）の両側表面を、ポリエチレン、ポリプロピレン等の繊維から成る熱可塑性の不織布シート（１４）で被覆するというように、表面シートとは異なる不織布シートを用いるものである。
　そうすると、特願平３−３３２４１５号の願書に最初に添付された明細書及び図面に、横漏れ防止片について記載されているとしても、前記横漏れ防止片は表面シートとは異なる不織布シートから成るものである。
　これに対し、本件発明の横漏れ防止片は、透液性表面シートである表面シートを折り曲げて設けるものである。
　したがって、特願平３−３３２４１５号の願書に最初に添付された明細書及び図面には、本件訂正後の請求項１に係る発明の構成である「透液性表面シートである表面シートを折り曲げて設ける」ことは記載されているとはいえないから、訂正後の請求項１に係る発明が特願平３−３３２４１５号の願書に最初に添付された明細書及び図面に記載された発明と同一であるということはできない。
　また、実願平３−８００６１号の願書に最初に添付された明細書及び図面には、横漏れ防止片（本件特許の液バリヤー側部に相当）について記載されているが、本件発明の構成である「透液性表面シートである表面シートを折り曲げて設ける」点については何ら記載がされていないし、「液バリヤー側部（甲第２号証に記載の横漏れ防止片に相当）の少なくとも自由上端部と前記ウイング部の付け根近傍とは相対的に離れるように配置し、該ウイング部をその裏面側へ折り返すとき、該ウイング部により該自由上端部が外側への引っ張り作用を直接受けないように構成してあること」についても記載がされていない。
　したがって、訂正後の請求項１に係る発明が実願平３−８００６１号の願書に最初に添付された明細書及び図面に記載された発明と同一であるということはできない。
　さらに、特願平４−５９０３６号の願書に最初に添付された明細書及び図面には、横漏れ防止片（本件特許の液バリヤー側部に相当）について記載されているが、本件発明の構成である「透液性表面シートである表面シートを折り曲げて設ける」点については何ら記載がされていないし、「液バリヤー側部（甲第３号証記載の横漏れ防止片に相当）の少なくとも自由上端部と前記ウイング部の付け根近傍とは相対的に離れるように配置し、該ウイング部をその裏面側へ折り返すとき、該ウイング部により該自由上端部が外側への引っ張り作用を直接受けないように構成してあること」についても記載がされていない。
　したがって、訂正後の請求項１に係る発明が特願平４−５９０３６号の願書に最初に添付された明細書及び図面に記載された発明と同一であるということはできない。
V．むすび
　以上のとおりであるから、特許異議申立の理由及び証拠によっては、訂正後の請求項１に係る発明についての特許を取り消すことはできない。
　また、他に訂正後の請求項１に係る発明についての特許を取り消すべき理由を発見しない。
　よって、結論のとおり決定する。
【異議決定日】
平成１３年１１月１３日（２００１．１１．１３）
【訂正の要旨】
　訂正の要旨
特許第２９８６６０６号の明細書の記載を、次のとおり訂正する。
訂正事項ａ．
　明細書の特許請求の範囲の請求項１中の「液バリヤー側部を設け、」を、特許請求の範囲の減縮を目的に「液バリヤー側部を、前記表面シートを折り曲げて設け、」と訂正する。
　訂正事項ｂ．
　明細書段落【０００９】中の「液バリヤー側部を設け、」を、明りょうでない記載の釈明を目的に「液バリヤー側部を、前記表面シートを折り曲げて設け、」と訂正する。
（５４）【発明の名称】
生理用ナプキン
（５７）【特許請求の範囲】
　【請求項１】
　透液性表面シートと不透液性裏面シートとの間に吸液性コアを介在させ、前記コアの長さ方向のほぼ中央部の両側縁から外方向へ延出させたウイング部を設け、少なくとも該ウイング部の裏面に粘着剤を塗布した生理用ナプキンにおいて、
　前記ウイング部の付け根近傍における長さ方向に沿って上方向へ起き上がるように伸縮部材を取り付けた液バリヤー側部を
、前記表面シートを折り曲げて
　【請求項２】
　前記ウイング部を互いに接合した少なくとも上下面シートから形成し、該上面シートの内側縁を該下面シートから浮き上がらせてある請求項１に記載のナプキン。
　【請求項３】
　前記内側縁の上方向への起き上がりを補助する伸縮部材を該内側縁に取り付けてある請求項２に記載のナプキン。
　【請求項４】
　少なくとも透液性表面シートで吸液性コアを被覆した上部ナプキンと、不透液性裏面シートの上面の少なくとも両側縁に透液性表面シートを接合してあって該上部ナプキンよりも幅広く形成した下部ナプキンとからなり、該下部ナプキンの長さ方向両端部に該上部ナプキンを接合した生理用ナプキンにおいて、
　前記上部ナプキンの両側に長さ方向へ沿って上方向へ起き上がるように伸縮部材を取り付けた液バリヤー側部を設け、
　前記下部ナプキンの長さ方向のほぼ中央部の両側縁から外方向へ延出させ、少なくとも裏面に粘着剤を塗布したウイング部を設けてある
　ことを特徴とする前記ナプキン。
　【請求項５】
　前記ウイング部を互いに接合した少なくとも上下面シートから形成し、該上面シートの内側縁を該下面シートから浮き上がらせてある請求項４に記載のナプキン。
　【請求項６】
　前記内側縁の上方向への起き上がりを補助する伸縮部材を該内側縁に取り付けてある請求項４に記載のナプキン。
　【請求項７】
　前記下部ナプキンの前記表裏面シートの間に吸液性コアを介在させてある請求項４に記載のナプキン。
【発明の詳細な説明】
　【０００１】
　【産業上の利用分野】
　この発明は、経血を吸収保持するための生理用ナプキン（又は生理用パッド）に関し、更に詳しくは、着用パンツの股当て部を包み込んでこれに固定するためのウイング部と液バリヤー側部と設けた生理用ナプキンに関する。
　【０００２】
　【従来の技術】
　従来、第１形態の生理用ナプキンとして、透液性表面シートと不透液性裏面シートとの間に吸液性コアを介在させるとともに、そのコアの長さ方向中央部の両側縁から外方向へそれら表裏面シートを延出させてウイング部を形成したものが知られている。このナプキンは、ウイング部を着用ショーツの股当て部の裏面へ折り返してウイング部の裏面に塗布した接着剤で固定して使用するものであるが、その股当て部にナプキンを確実に固定することができる点で優れている。
　【０００３】
　第２形態のナプキンとして、ナプキンの両側に長さ方向へ沿って上方向へ起き上がるように伸縮部材を取り付けた液バリヤー側部を設けたものが知られている。このナプキンも、液バリヤー側部が体液の横漏れ防止に効果を奏する点で優れている。
　【０００４】
　第３形態のナプキンとして、上部ナプキンとこれよりも幅広く形成した下部ナプキンとからなり、後者の長さ方向両端部に前者を固定したものが知られている。このナプキンは下部ナプキンを着用ショーツの股当て部にその裏面に塗布した粘着剤で固定して使用するものであるが、上部ナプキンがその股当て部の変形による悪影響を受けない点で優れている。
　【０００５】
　【発明が解決しようとする課題】
　しかし、第１及び第３形態のナプキンは、第２形態のナプキンの液バリヤー側部を有しないから、体液の横漏れ防止の点で、かつ、第２形態のナプキンは、着用ショーツの股当て部に対する固定の点で第１の形態のナプキンに劣ることは否めない。そこで、この発明者らは、第１及び第２形態のナプキンの優れた点を組み合わせたものを得ようと試みたが、単に組み合わせるだけでは、第２形態のナプキンの優れた点を活用することができないことを見出した。
　【０００６】
　それはこうである。即ち、そのように組み合わせたナプキンにおいては、第１形態のナプキンが有するウイング部に相当するウイング部を着用ショーツの股当て部に固定すべくその股当て部の裏面へ折り返すと、第２形態のナプキンが有する液バリヤー側部がその弾性部材の収縮力に抗して外方向へ引っ張られて上方向への起き上がりを邪魔され、その液バリヤー側部の効果が十分に発揮されない、ということである。
　【０００７】
　そこで、この発明は、第１及び第２形態のナプキンの優れた点、更には第３形態のナプキンの優れた点を活用することを課題とする。
　【０００８】
　【課題を解決するための手段】
　前記課題を解決するための基本的な第１手段は、透液性表面シートと不透液性裏面シートとの間に吸液性コアを介在させ、前記コアの長さ方向のほぼ中央部の両側縁から外方向へ延出させたウイング部を設け、少なくとも該ウイング部の裏面に粘着剤を塗布した生理用ナプキンを前提とし、次の点を特徴とする。
　【０００９】
　前記ウイング部の付け根近傍における長さ方向に沿って上方向へ起き上がるように伸縮部材を取り付けた液バリヤー側部を
、前記表面シートを折り曲げて
　【００１０】
　前記課題を解決するための基本的な第２手段は、透液性表面シートで吸液性コアを被覆した上部ナプキンと、不透液性裏面シートの少なくとも上面の両側縁にに透液性表面シートを接合してあって該上部ナプキンよりも幅広く形成した下部ナプキンとからなり、該下部ナプキンの長さ方向両端部に該上部ナプキンを接合した生理用ナプキンを前提とし、次の点を特徴とする。
　【００１１】
　前記上部ナプキンの両側に長さ方向へ沿って上方向へ起き上がるように伸縮部材を取り付けた液バリヤー側部を設け、前記下部ナプキンの長さ方向のほぼ中央部の両側縁から外方向へ延出させ、少なくとも裏面に粘着剤を塗布したウイング部を設けた点。
　【００１２】
　好ましい実施例では、第１及び第２手段とともに、前記ウイング部を互いに接合した少なくとも上下面シートから形成し、該上面シートの内側縁を該下面シートから浮き上がらせる点と、前記内側縁の上方向への起き上がりを補助する該内側縁に伸縮部材を取り付ける点とを含む。更に、第２手段では、前記下部ナプキンの前記表裏面シートの間に吸液性コアを介在させる点を含む。
　【００１３】
　【作用】
　前記第１及び第２手段に係るナプキンでは、ナプキン（後者では前記下部ナプキン）の裏面を着用パンツの股当て部の内面に当接し、前記ウイング部を前記股当て部の裏面へ折り返して前記接着剤で固定する。この際、前記液バリヤー側部は、その弾性部材の収縮力に抗して前記ウイング部によって外側へ引っ張られることなく、その収縮力で上方向へ起き上がって女性局部の肌に密着する。
　【００１４】
　更に、前記第２手段に係るナプキンでは、前記上部及び下部ナプキンの長さ方向両端部を除いて上下・左右方向へ比較的自由かつ相対的に移動可能である。
　【００１５】
　【実施例】
　図面を参照してこの発明を説明すると、以下のとおりである。
　【００１６】
　図１〜図３において、ナプキン１０は、透液性表面シート１１と、不透液性下面シート１２と、これに接合した不透液性裏面シート１３と、これらよりも長さ及び幅寸法において小さくこれらの外側延出部１１ａ，１２ａ，１３ａが生じるように介在させた吸液性コア１４とから構成し、両側に液バリヤー側部１５と、ウイング部１６とを設けてある。下面シート１２は透液性であってもよい。
　【００１７】
　液バリヤー側部１５は、外側延出部１１ａの長さ方向のほぼ中央部を上内側へ折り返し、それらの内側縁をコア１４の上面に接合してスリーブを形成し、このスリーブの外側縁内の長さ方向に沿って弾性部材１７を伸長下にその少なくとも長さ方向両端部において固定することで形成してある。
　【００１８】
　ウイング部１６は、ナプキン１０の前端側へ偏倚する部位における外側延出部１２ａ，１３ａから更に外側へ延出した第２外側延出部１２ｂ，１３ｂと、液バリヤーシート１８から形成してあって、外側延出部１２ａの上面に接合した内側部１８ａと、第２外側延出部１２ｂ，１３ｂと同大・同形で第２外側延出部１２ｂの上面に接合した、外側延出部１８ｂと、内側部１８ａに連なる下面への折り返し部１８ｃとから形成してある。この折り返しによって形成したスリーブの内側縁内には、その長さ方向に沿って弾性部材１９を伸長下にその少なくとも長さ方向両端部において固定してある。
　【００１９】
　必要に応じて、液バリヤー側部１５に不透液性を付与する場合には、それに撥水処理を施こすか、下面シート１２を表面シート１１とほぼ同じ幅にし、これらシートの外側部を図示の液バリヤー側部１５のように形成するか、別の不透液性シートをコア４と下面シート１２との間に介在させるか、の手段をとることができる。
　【００２０】
　図４では、別の実施例を示す。ナプキン１１０は、上部ナプキン１１０ａと、これよりも幅広く形成した下部ナプキン１１０ｂとから構成してある。上部ナプキン１１０ａは、その長さ方向両端部において下部ナプキン１１０ｂの上面に固定してある。
　【００２１】
　上部ナプキン１１０ａは、透液性表面シート１１１と、不透液性裏面シート１１２と、これらよりも長さ及び幅寸法において小さくこれらの外側延出部１１１ａ，１１２ａが生じるように介在させた吸液性コア１１４とから構成し、両側に液バリヤー側部１１５を設けてある。液バリヤー側部１１５は、外側延出部１１１ａ，１１２ａを上内側へ折り返し、それらの内側縁を非折り返し部に接合してスリーブを形成し、スリーブの外側縁内の長さ方向に沿って弾性部材１１７を伸長下にその少なくとも長さ方向両端部において固定することで形成してある。裏面シート１１２は透液性であってもよい。
　【００２２】
　下部ナプキン１１０ｂは、透液性表面シート２１１と、不透液性裏面シート２１２と、これらよりも長さ及び幅寸法において小さくてこれらの間に介在させた吸液性コア２１４とから構成し、ウイング部１１６を設けてある。ウイング部１１６は、コア２１４の両側から外側へ延出した表裏面シート２１１，２１２の外側延出部２１１ａ，２１２ａを介して更に外側へ延出した第２外側延出部２１１ｂ，２１２ｂと、液バリヤーシート１１８とから前記ウイング部１６と同様な形態に形成してあって、その詳細は図３を参照されたい。ただし、ウイング部１１６の内側に位置し弾性部材１１９を有する内側部１１８ａの一部は表面シート２１１を介してコア２１４の側縁上に臨ませてある。図示してないが、場合によっては、下部ナプキン１１０にはコア２１４を使用しないこともある。
　【００２３】
　図３、図４（図２参照）において、シート１３，２１２の中央域外面にはその長さ方向へ平行に帯状に粘着剤２０（１２０）と、ウイング部１６，１１６の下面中央域に方形状に粘着剤２１（１２１）とをそれぞれ塗布し、これら粘着剤をそれぞれ剥離シート２２（１２２），２３（１２３）で被覆して保護してある。
　【００２４】
　前記構成を有するナプキン１０（ナプキン１１０については省略）は、先ず剥離シート２２を剥離して粘着剤２０でナプキン１０の中央域を着用パンツの股当て部２５（図５参照）の内面に接着し、次いで剥離シート２３を剥離してウイング部１６を股当て部２５の外面へ折り返して接着剤２１で接着することで使用する。なお、こうしてナプキン１０を着用ショーツに固定したとき、図５に示すように、液バリヤー側部１５の自由上端部と、ウイング部１６の内側に位置する内側部１８ａの内側縁とがそれぞれの弾性部材１７，１９の収縮力で上方向へ起き上がる。この際、液バリヤー側部１５はウイング部１６の折り返しによって外側への引っ張り作用を受けない。ただし、弾性部材１９が存在しなくても、ウイング部１６の折り返しの影響下に内側部１８ａの内側縁が上方向へ起き上がり、弾性部材１９はその起き上がりを補助するにすぎないのでこれを必ずしも設けなくてもよい。
　【００２５】
　ナプキン１０，１１０の各構成部材は、公知ナプキンのそれを使用することができる。例えば、表面シート１１，１１１，２１１には不織布や多孔性プラスチックフィルムを、下面シート１２、裏面シート１１２、２１２にはプラスチックフィルムを、液バリヤーシート１８，１１８には不織布を撥水処理したものを、それぞれ使用することができる。
　【００２６】
　【発明の効果】
　以上の構成及び作用を有するこの発明に係る生理用ナプキンにおいては、前記液バリヤー側部は、その弾性部材の収縮力に抗して前記ウイング部によって外側へ引っ張られることなく、その収縮力で上方向へ起き上がって女性局部の肌に密着するから、体液の横漏れを充分に防止することができる。
　【００２７】
　前記ウイング部の上面を形成するシートの内側縁が浮き上がる形態の生理用ナプキンにおいては、その内側縁でも体液の横漏れを防止することができる。
　【００２８】
　上部ナプキンと下部ナプキンとから構成した形態の生理用ナプキンにおいては、上部ナプキンが下部ナプキンや着用ショーツの股当て部の皺や捩れなどの変形による悪影響を受けずに女性局部の肌に正常に密接するから、更に前記横漏れを一層有効に防止することができる。
【図面の簡単な説明】
　【図１】
　この発明の実施例に係る生理用ナプキンの上面斜視図。
　【図２】
　前記ナプキンの裏面斜視図。
　【図３】
　図１の３−３線に沿う拡大断面図。
　【図４】
　他の実施例に係る生理用ナプキンの、図３に相当する拡大断面図。
　【図５】
　図３に示すナプキンをショーツの股当て部に固定した状態の拡大断面図。
　【符号の説明】
　１１，１１１，２１１　表面シート
　１３，１１２，２１２　裏面シート
　１４，１１４，２１４　コア
　１５，１１５　液バリヤー側部
　１６，１１６　ウイング部
　１７，１９，１１７，１１９　弾性部材